(57)【要約】【課題】密閉型の濾過器を用いることなく、簡易な構造で効率的に排水を濾過できるようにする。【解決手段】排水に含まれる非溶解成分の不純物を除去する第１の濾過器と、溶解成分を除去する第２の濾過器を一体に構成する。第２の濾過器は、底面の閉じた円筒形状の容器内に充填された濾過部材と、この容器内の底面部に設けられ、濾過部材を通過した後の水を容器外に供給するポンプ手段とを備えている。第２の濾過器は、第１の濾過器の外周を囲むように設けられた円筒形状の容器で構成され、第１の濾過器とこの円筒形状の容器との間に形成されるドーナッツ状の空間に排水が供給され、そこで非溶解成分の不純物は容器の底面側に沈殿するので、これをポンプ手段で排出する。【選択図】図２
2011245424.tif 000002
【特許請求の範囲】
【請求項１】
底面の閉じた円筒形状の容器内に充填された濾過部材と、
前記円筒形状の容器内の底面部に設けられ、前記濾過部材を通過した後の水を前記容器の外に供給するポンプ手段と
を備えたことを特徴とする濾過装置。
【請求項２】
底面の閉じた円筒形状の第１の容器内に充填された濾過部材と、
前記円筒形状の第１の容器内の底面部に設けられ、前記濾過部材を通過した後の水を前記第１の容器外に供給するポンプ手段と
前記第１の容器の外周を囲むように設けられた円筒形状の第２の容器と、
前記第１の容器と前記第２の容器との空間に供給された水に含まれる非溶解成分の不純物であって前記第２の容器の底面側に沈殿したものを排出する第２のポンプ手段と
を備えたことを特徴とする濾過装置。
【請求項３】
非溶解成分及び溶解成分の不純物を含む排水を生成する水利用設備と、
この水利用設備によって生成された前記排水を貯水する第１の水槽と、
この第１の水槽内の前記排水に含まれる前記非溶解成分の不純物を除去する第１の濾過手段と、
この第１の濾過手段によって前記非溶解成分の不純物の除去された水からさらに前記溶解成分の不純物を除去する第２の濾過手段と、
前記第１及び第２の濾過手段を通過した後の水を貯水する第２の水槽と、
この第２の水槽内の水を前記水利用設備又は他の水利用設備に供給する水供給手段とを備えた排水リサイクルシステムにおいて、
第２の濾過手段は、底面の閉じた円筒形状の容器内に充填された濾過部材と、前記円筒形状の容器内の底面部に設けられ、前記濾過部材を通過した後の水を前記第２の水槽に供給するポンプ手段とから構成されることを特徴とする排水リサイクルシステム。
【請求項４】
非溶解成分及び溶解成分の不純物を含む排水を生成する水利用設備と、
この水利用設備によって生成された前記排水を貯水する第１の水槽と、
この第１の水槽内の前記排水に含まれる前記非溶解成分の不純物を除去する第１の濾過手段と、
この第１の濾過手段によって前記非溶解成分の不純物の除去された水からさらに前記溶解成分の不純物を除去する第２の濾過手段と、
前記第１及び第２の濾過手段を通過した後の水を貯水する第２の水槽と、
この第２の水槽内の水を前記水利用設備又は他の水利用設備に供給する水供給手段とを備えた排水リサイクルシステムにおいて、
第２の濾過手段は、底面の閉じた円筒形状の第１の容器内に充填された濾過部材と、前記円筒形状の第１の容器内の底面部に設けられ、前記濾過部材を通過した後の水を前記第２の水槽に供給する第１のポンプ手段とから構成され、
前記第１の濾過手段は、前記円筒形状の第１の容器の外周を囲むように設けられた円筒形状の第２の容器と、前記第１の容器と前記第２の容器との空間に供給された前記排水に含まれる前記非溶解成分の不純物であって前記第２の容器の底面側に沈殿したものを排出する第２のポンプ手段とから構成されることを特徴とする排水リサイクルシステム。
【請求項５】
洗車設備から排出される洗車後の排水を貯水する第１の水槽と、
この第１の水槽内の前記排水に含まれる前記非溶解成分の不純物を除去する第１の濾過手段と、
この第１の濾過手段によって前記非溶解成分の不純物の除去された水からさらに前記溶解成分の不純物を除去する第２の濾過手段と、
前記第１及び第２の濾過手段を通過した後の水を貯水する第２の水槽と、
この第２の水槽内の水を前記洗車設備又は他の水利用設備に供給する水供給手段とを備えた洗車排水リサイクルシステムにおいて、
第２の濾過手段は、底面の閉じた円筒形状の容器内に充填された濾過部材と、前記円筒形状の容器内の底面部に設けられ、前記濾過部材を通過した後の水を前記第２の水槽に供給するポンプ手段とから構成されることを特徴とする洗車排水リサイクルシステム。
【請求項６】
洗車設備から排出される洗車後の排水を貯水する第１の水槽と、
この第１の水槽内の前記排水に含まれる前記非溶解成分の不純物を除去する第１の濾過手段と、
この第１の濾過手段によって前記非溶解成分の不純物の除去された水からさらに前記溶解成分の不純物を除去する第２の濾過手段と、
前記第１及び第２の濾過手段を通過した後の水を貯水する第２の水槽と、
この第２の水槽内の水を前記洗車設備又は他の水利用設備に供給する水供給手段とを備えた洗車排水リサイクルシステムにおいて、
第２の濾過手段は、底面の閉じた円筒形状の第１の容器内に充填された濾過部材と、前記円筒形状の第１の容器内の底面部に設けられ、前記濾過部材を通過した後の水を前記第２の水槽に供給する第１のポンプ手段とから構成され、
前記第１の濾過手段は、前記円筒形状の第１の容器の外周を囲むように設けられた円筒形状の第２の容器と、前記第１の容器と前記第２の容器との空間に供給された前記排水に含まれる前記非溶解成分の不純物であって前記第２の容器の底面側に沈殿したものを排出する第２のポンプ手段とから構成されることを特徴とする洗車排水リサイクルシステム。
【発明の詳細な説明】
【技術分野】
【０００１】
この発明は、自動車等の洗車後の排水を再利用するための濾過装置、排水リサイクルシステム及び洗車排水リサイクルシステムに係り、特に簡易な構造で効率的に排水を濾過することのできる濾過装置、排水リサイクルシステム及び洗車排水リサイクルシステムに関する。
【背景技術】
【０００２】
最近、ガソリンのサービスステーションなどでは、高額な上下水道料金の節約、排水の抑制や減量による環境保全を目的として、洗車排水等を浄化して再利用する洗車排水リサイクルシステムを設置する傾向が高くなっている。この洗車排水リサイクルシステムとして、特許文献１に記載された洗車機の排水循環処理装置や特許文献２に記載された洗車機の排水浄化装置や本願発明者によって提案された特許文献３〜６などが知られている。これらの従来技術に記載された洗車排水リサイクルシステムは、排水貯留槽に溜まった排水をポンプでくみ上げ、それを複数の濾過器を通過させることによって、排水を浄化するように構成されている。これらの特許文献に記載された洗車排水リサイクルシステムは、貯留槽からくみ上げた水を第１の濾過器で浄化し、その浄化水を１次タンクに一旦貯留し、１次タンク内の水を第２の濾過器で浄化してから給水タンクに供給するような構成になっている。
【先行技術文献】
【特許文献】
【０００３】
【特許文献１】特開平８−１９２０１４号公報
【特許文献２】特開平１０−１６５９５３号公報
【特許文献３】特開２００５−２９６７６４号公報
【特許文献４】特開２００１−８７６０９号公報
【特許文献５】特開平９−２９９９３６号公報
【特許文献６】特開平９−２８５７９９号公報
【発明の開示】
【発明が解決しようとする課題】
【０００４】
上述の従来技術に記載のものは、排水などを浄化する場合に、密閉型の濾過器を用い、この濾過器内にポンプで高圧となった排水などを供給し、濾過器内の濾過部材内を通過させていた。このような密閉型の濾過器は供給される高圧の排水に耐え得る構造体としなければならず、濾過器自体が高価なものになるという問題を有していた。
【０００５】
この発明は、上述の点に鑑みてなされたものであり、密閉型の濾過器を用いることなく、簡易な構造で効率的に排水を濾過することのできる濾過装置、排水リサイクルシステム及び洗車排水リサイクルシステムを提供することを目的とする。
【課題を解決するための手段】
【０００６】
本発明に係る濾過装置の第１の特徴は、底面の閉じた円筒形状の容器内に充填された濾過部材と、前記円筒形状の容器内の底面部に設けられ、前記濾過部材を通過した後の水を前記容器の外に供給するポンプ手段とを備えたことにある。
【０００７】
本発明に係る濾過装置の第２の特徴は、底面の閉じた円筒形状の第１の容器内に充填された濾過部材と、前記円筒形状の第１の容器内の底面部に設けられ、前記濾過部材を通過した後の水を前記第１の容器外に供給するポンプ手段と、前記第１の容器の外周を囲むように設けられた円筒形状の第２の容器と、前記第１の容器と前記第２の容器との空間に供給された水に含まれる非溶解成分の不純物であって前記第２の容器の底面側に沈殿したものを排出する第２のポンプ手段とを備えたことにある。
【０００８】
本発明に係る排水リサイクルシステムの第１の特徴は、非溶解成分及び溶解成分の不純物を含む排水を生成する水利用設備と、この水利用設備によって生成された前記排水を貯水する第１の水槽と、この第１の水槽内の前記排水に含まれる前記非溶解成分の不純物を除去する第１の濾過手段と、この第１の濾過手段によって前記非溶解成分の不純物の除去された水からさらに前記溶解成分の不純物を除去する第２の濾過手段と、前記第１及び第２の濾過手段を通過した後の水を貯水する第２の水槽と、この第２の水槽内の水を前記水利用設備又は他の水利用設備に供給する水供給手段とを備えた排水リサイクルシステムにおいて、第２の濾過手段は、底面の閉じた円筒形状の容器内に充填された濾過部材と、前記円筒形状の容器内の底面部に設けられ、前記濾過部材を通過した後の水を前記第２の水槽に供給するポンプ手段とから構成されることにある。
【０００９】
本発明に係る排水リサイクルシステムの第２の特徴は、非溶解成分及び溶解成分の不純物を含む排水を生成する水利用設備と、この水利用設備によって生成された前記排水を貯水する第１の水槽と、この第１の水槽内の前記排水に含まれる前記非溶解成分の不純物を除去する第１の濾過手段と、この第１の濾過手段によって前記非溶解成分の不純物の除去された水からさらに前記溶解成分の不純物を除去する第２の濾過手段と、前記第１及び第２の濾過手段を通過した後の水を貯水する第２の水槽と、この第２の水槽内の水を前記水利用設備又は他の水利用設備に供給する水供給手段とを備えた排水リサイクルシステムにおいて、第２の濾過手段は、底面の閉じた円筒形状の第１の容器内に充填された濾過部材と、前記円筒形状の第１の容器内の底面部に設けられ、前記濾過部材を通過した後の水を前記第２の水槽に供給する第１のポンプ手段とから構成され、前記第１の濾過手段は、前記円筒形状の第１の容器の外周を囲むように設けられた円筒形状の第２の容器と、前記第１の容器と前記第２の容器との空間に供給された前記排水に含まれる前記非溶解成分の不純物であって前記第２の容器の底面側に沈殿したものを排出する第２のポンプ手段とから構成されることにある。
【００１０】
本発明に係る洗車排水リサイクルシステムの第１の特徴は、洗車設備から排出される洗車後の排水を貯水する第１の水槽と、この第１の水槽内の前記排水に含まれる前記非溶解成分の不純物を除去する第１の濾過手段と、この第１の濾過手段によって前記非溶解成分の不純物の除去された水からさらに前記溶解成分の不純物を除去する第２の濾過手段と、前記第１及び第２の濾過手段を通過した後の水を貯水する第２の水槽と、この第２の水槽内の水を前記洗車設備又は他の水利用設備に供給する水供給手段とを備えた洗車排水リサイクルシステムにおいて、第２の濾過手段は、底面の閉じた円筒形状の容器内に充填された濾過部材と、前記円筒形状の容器内の底面部に設けられ、前記濾過部材を通過した後の水を前記第２の水槽に供給するポンプ手段とから構成されることにある。
【００１１】
本発明に係る洗車排水リサイクルシステムの第２の特徴は、洗車設備から排出される洗車後の排水を貯水する第１の水槽と、この第１の水槽内の前記排水に含まれる前記非溶解成分の不純物を除去する第１の濾過手段と、この第１の濾過手段によって前記非溶解成分の不純物の除去された水からさらに前記溶解成分の不純物を除去する第２の濾過手段と、前記第１及び第２の濾過手段を通過した後の水を貯水する第２の水槽と、この第２の水槽内の水を前記洗車設備又は他の水利用設備に供給する水供給手段とを備えた洗車排水リサイクルシステムにおいて、第２の濾過手段は、底面の閉じた円筒形状の第１の容器内に充填された濾過部材と、前記円筒形状の第１の容器内の底面部に設けられ、前記濾過部材を通過した後の水を前記第２の水槽に供給する第１のポンプ手段とから構成され、前記第１の濾過手段は、前記円筒形状の第１の容器の外周を囲むように設けられた円筒形状の第２の容器と、前記第１の容器と前記第２の容器との空間に供給された前記排水に含まれる前記非溶解成分の不純物であって前記第２の容器の底面側に沈殿したものを排出する第２のポンプ手段とから構成されることにある。
【発明の効果】
【００１２】
本発明の濾過装置、排水リサイクルシステム及び洗車排水リサイクルシステムによれば、密閉型の濾過器を用いることなく、簡易な構造で効率的に排水を濾過することができるという効果がある。
【図面の簡単な説明】
【００１３】
【図１】本発明に係る排水リサイク装置の一例として、洗車排水リサイクルシステムの全体構成を示す図である。
【図２】図１の洗車排水リサイクルシステムの濾過器の構成を示す図である。
【発明を実施するための形態】
【００１４】
以下、本発明の一実施の形態を図面を用いて説明する。図１は、本発明に係る排水リサイクシステムの一例として、洗車排水リサイクルシステムの全体構成を示す図である。この洗車排水リサイクルシステムは、薬品注入装置１０、原水槽（油水分離槽）１２、比重分離濾過装置（分離槽）１４、濾過器（濾過槽）１６、汚泥濃縮槽１８、処理水貯槽２０、給水ポンプ２２から構成される。
【００１５】
比重分離濾過装置１４は、自動洗車機からの排水を貯水する原水槽１２内の排水に含まれる非溶解成分の不純物を除去する。濾過器（濾過槽）１６は、この比重分離濾過装置（分離槽）１４によって非溶解成分の不純物の除去された水からさらに溶解成分の不純物を除去する。原水槽１２内の原水ポンプは、原水槽１２内の排水を比重分離濾過装置１４に送出する。処理水貯槽２０は、比重分離濾過装置１４及び濾過器１６によって濾過された処理水を洗車用水として貯水する。
【００１６】
原水槽１２は、自動洗車機本体（図示せず）に設けられている洗車後の排水を貯留する洗車機排水桝を含むものである。この原水槽１２からの余剰水は排水管を介して外部に放出される。原水槽１２に代えて、ガソリンスタンド等に常設されている油水分離槽によって分離された水成分を貯水する原水槽から洗車用の排水を取り込むようにしてもよいし、油水分離槽から直接排水を取り込むようにしてもよい。
【００１７】
原水槽１２内の洗車排水は、原水ポンプによって、比重分離濾過装置１４に取り込まれる。比重分離濾過装置１４に取り込まれた排水からは非溶解成分の不純物が除去される。比重分離濾過装置１４によって浄化された水は、連結窓を介して濾過器１６の上部側に流入し、そこから濾過器１６内の底面側に設けられた濾過ポンプから逆洗電動弁を介して処理水貯槽２０に供給される。
【００１８】
図２は、図１の洗車排水リサイクルシステムの分離槽及び濾過槽からなる濾過装置の構成を示す図である。図２（Ａ）は、濾過装置を上側から見た上面図であり、図２（Ｂ）は、図２（Ａ）のＸ−Ｏ線及びＹ−Ｏ線の断面図である。濾過器１６は、底面の閉じた円筒形状の容器内に充填された濾過部材と、円筒形状の容器内の底面部に設けられ、濾過部材を通過した後の水を処理水貯槽２０に供給する濾過ポンプとを有する。比重分離濾過装置（分離槽）１４は、濾過器１６の円筒形状の容器の外周を囲むように設けられた円筒形状の容器から構成される。濾過器１６の容器と比重分離濾過装置（分離槽）１４の容器との間には、両者を接続するように構成された連結窓が設けられている。汚泥ポンプは、排水に含まれる非溶解成分の不純物であって容器の底面側に沈殿したものを排出する汚泥濃縮槽１８に排出する。
【００１９】
処理水貯槽２０内の水は、給水ポンプ２２によって送水管を介して洗車機、洗車用給水栓及び散水栓などに送出される。給水ポンプ２２は毎分５０リットルの水を送出する能力のものを用いる。従って、処理水貯槽２０が満水の場合には、約３０分程度連続して洗車用水を供給することができる。実際には、洗車用水は持続して供給されることはないので、この程度の処理能力で十分である。なお、水処理設備の能力に応じて、各処理水貯槽や濾過器の能力を適宜設定変更すればよいことはいうまでもない。
【符号の説明】
【００２０】
１０…薬品注入装置
１２…原水槽
１４…比重分離濾過装置
１６…濾過器
１８…汚泥濃縮槽
２０…処理水貯槽
２２…給水ポンプ
【図１】
2011245424.tif 000003
【図２】
2011245424.tif 000004